(57)【特許請求の範囲】
【請求項１】
衣類を掛ける左右のアームを有し、上記アームは内方の端部にて本体に開閉可能に軸支され、かつ、アーム開閉時に互いに噛み合う歯車部分を上記内方の端部に設けたプラスチック部品のみから成るアーム開閉式ハンガーであって、
左右のアームを開いた状態に保つ係合部を有する操作レバーを本体に設けるとともに、上記操作レバーの係合部と係合可能な係合相手部を歯車部分に設け、
上記操作レバーは、係合部と係合相手部との係合が可能な定位置に保持され、かつ、定位置を中心として左方又は右方へ一定の範囲でのみ回転を許容するもので、
そのために、操作レバーは、本体側の支軸に中央の軸支部にて回転可能に取り付けられるとともに、軸支部よりも左方に設けた左弾性片と軸支部よりも右方に設けた右弾性片とを有し、本体には左弾性片を受け支えて弾圧状態にする左受支部と、右弾性片を受け支えて弾圧状態にする右受支部をそれぞれ設けた構成を有し、
上記操作レバーの操作部を左右のアームよりも上位かつ本体外部に配置して構成された
アーム開閉式ハンガー。
【請求項２】
係合部と係合相手部が係合状態にあるときに、弾性変形して上記係合を外す方向へ操作レバーの回転を許容する第１の弾性機構を設け、
係合部と係合相手部が非係合状態から係合状態になるときに、弾性変形して係合方向への操作レバーの回転を許容する第２の弾性機構を設けた構成を有する
請求項１記載のアーム開閉式ハンガー。
【請求項３】
係合相手部は左右のアームが開いたときに左右の枢軸を結ぶ直線よりもやや上に位置するように、一方の歯車部分に設けており、係合部の角と係合するほぼかぎ型に形成されている請求項１記載のアーム開閉式ハンガー。
【発明の詳細な説明】
【技術分野】
【０００１】
本発明は、衣類を掛ける左右のアームを有し、上記アームが左右連動して開閉するように設けた構成を有するアーム開閉式ハンガーに関し、特には物干し用のハンガーに関するものである。
【背景技術】
【０００２】
衣類を掛けるハンガーには、左右のアームを開閉させるタイプのものがあり、例えば、使用しない状態でアームを閉じておけるので場所を取らない、また、アームを開けば何時でも使える状態になるというような特徴がある。特に、Ｔシャツのような丸首の襟を持つ衣類をハンガーに掛けるとき及び掛けた衣類を取り外すときに、丸首の襟をあまり拡げずに済むので、丸首を伸ばすことが少ないのは利点である。
【０００３】
しかし、アームの開閉機構や操作などの問題も少なくなく、アームの開閉に両手を使う必要のあるハンガーでは、衣類を掛けるときに、アームを両手であらかじめ閉じておいて衣類に通し、その後でアームを開かなければならないという面倒がある。開閉しないタイプのハンガーでは、そうした開閉操作は不必要であるから、それに比べると上記の操作は大変面倒に感じられることになる。しかも、アームを持って開閉操作を行う構造のハンガーでは、Ｔシャツなどの衣類の中に下から手を入れてアームを開閉する必要があるから、その作業は一層面倒なものとなる。
【０００４】
アームの開閉操作に関する先行技術としては、例えば、実開昭４９−５９７３５号のものがある。しかし、このハンガーではアームの開閉のためにストッパー機構やオメガ型のバネなどを必要とし、実用には適さないと思われる。また、実開平２−１３６５８１号のものはずっと簡略化されているが、開閉位置を決める機構として複数の凹溝と、それに係脱する頭部を持つキャップと係合方向へ向けられたコイルバネより成るスプリングが必要であり、組み立てが面倒であるとか、壊れやすいというような問題を有しており、また、開閉操作を衣類の内部で行う必要もある。
【０００５】
【特許文献１】実開昭４９−５９７３５号
【特許文献２】実開平２−１３６５８１号
【発明の開示】
【発明が解決しようとする課題】
【０００６】
本発明は前記の点に着目してなされたもので、その課題は、衣類を掛けてあるアームの開閉操作を、衣類の外からの操作によって行えるようにすることである。また、本発明の他の課題は、最小限度のプラスチック部品だけを組み合わせて構成されるアーム開閉式ハンガーを提供することである。
【課題を解決するための手段】
【０００７】
前記の課題を解決するため、本発明は衣類を掛ける左右のアームを有し、上記アームは内方の端部にて本体に開閉可能に軸支され、かつ、アーム開閉時に互いに噛み合う歯車部分を上記内方の端部に設けたプラスチック部品のみから成るアーム開閉式ハンガーであって、左右のアームを開いた状態に保つ係合部を有する操作レバーを本体に設けるとともに、上記操作レバーの係合部と係合可能な係合相手部を歯車部分に設け、上記操作レバーは、係合部と係合相手部との係合が可能な定位置に保持され、かつ、定位置を中心として左方又は右方へ一定の範囲でのみ回転を許容するもので、そのために、操作レバーは、本体側の支軸に中央の軸支部にて回転可能に取り付けられるとともに、軸支部よりも左方に設けた左弾性片と軸支部よりも右方に設けた右弾性片とを有し、本体には左弾性片を受け支えて弾圧状態にする左受支部と、右弾性片を受け支えて弾圧状態にする右受支部をそれぞれ設けた構成を有し、上記操作レバーの操作部を左右のアームよりも上位かつ本体外部に配置して構成するという手段を講じている。
【０００８】
本発明のアーム開閉式ハンガーは、左右のアームが夫々の内方の端部にて本体に軸支され、開閉可能になっていること及びそれらのアームは互いに噛み合う歯車部分をそれぞれの内方の端部に有していることにおいて、従来の開閉式ハンガーと共通するものである。従って、左右のアームは連動して開閉する。
【０００９】
この開閉式ハンガーは、左右のアームが開いた状態を一定に保ち、かつ、閉じるのを防止するために操作レバーを本体に設け、上記操作レバーに設けた係合部と係合可能な係合相手部を歯車部分に設けている。左右のアームはそれぞれの内方の端部に歯車部分を有していて連動するので、係合部と係合する係合相手部は左右のアームの歯車部分に設ければ足りる。
【００１０】
上記操作レバーは、係合部と係合相手部との係合が可能な定位置に保持され、かつ、定位置を中心として左方又は右方へ一定の範囲でのみ回転を許容するものとする。言い換えれば、操作レバーは第１の弾性機構と第２の弾性機構とによって、一種の中立状態に保たれている。
【００１１】
上記係合部と係合相手部が係合状態にあるときに、弾性変形して上記係合を外す方向へ操作レバーの回転を許容する第１の弾性機構を設け、係合部と係合相手部が非係合状態から係合状態になるときに、弾性変形して係合方向への操作レバーの回転を許容する第２の弾性機構を設けている。よって、アームを開くときには係合相手部が係合部を押すので第２の弾性機構が作用し、アームを閉じるときには操作レバーの操作で第１の弾性機構が作用する。
【００１２】
上記操作レバーは、本体側の支軸に軸支部にて回転可能に取り付けられており、軸支部よりも左方に設けた左弾性片と軸支部よりも右方に設けた右弾性片とを有し、本体には左弾性片を受け支えて弾圧状態にする左受支部と、右弾性片を受け支えて弾圧状態にする右受支部をそれぞれ設けた構成を有している。
【００１３】
係合相手部は左右のアームが開いたときに左右の枢軸を結ぶ直線よりもやや上に位置するように、一方の歯車部分に設けており、係合部の角と係合するほぼかぎ型に形成されている。このほぼかぎ型の係合相手部は、係合部付近にて操作レバーの端部を押圧しているので、非係合状態から係合状態にするときに操作に節度感を与える。
【発明の効果】
【００１４】
本発明は以上のように構成されかつ作用するものであるから、衣類を掛けてあるアームの開閉操作を、衣類の外からの操作によって行えるとともに、非常に容易にワンタッチで操作することができるという効果を奏する。また、本発明によれば、最小限度のプラスチック部品だけを組み合わせて構成されるので、アーム開閉式ハンガーにおいて、金属部品の腐食というような問題を起こさずに済み、錆びによる作動不全の防止及び洗濯物の汚損防止を図ることができる。
【発明を実施するための最良の形態】
【００１５】
以下図示の実施形態を参照して本発明をより詳細に説明する。図１は本発明に係るアーム開閉式ハンガー１０の一例を示す正面図であり、１１は中空な本体であって、前後２部材１２、１３を組み合わせて形成されており（図４Ａ参照）、中央上部に吊り下げ用のフック１４を有し、左右には衣類を掛ける一対のアーム１５、１６を有している。上記アーム１５、１６は、本体１１を貫通する取り付けられた枢軸１７、１８に、内方の端部の軸受け部１５ａ、１６ａにてそれぞれ取り付けられ開閉可能に設けられている。１９、２０はアーム回転部開口であり、アーム回転部開口１９、２０の側面上部の上端１９ａ、２０ａから下面左右の下端１９ｂ、２０ｂにかけてのアーム１５、１６の回転可能範囲に形成されている。
【００１６】
上記の前部材１２と後部材１３は、前部材１２の上部に形成した複数個の係合爪１２ａと、後部材１３の対応位置に形成した係合孔部１３ａとの係合によって結合されており、かつまた、左右のアーム１５、１６を取り付ける枢軸１７、１８を、前部材１２と後部材１３それぞれに形成された嵌合孔に嵌合することによっても結合されている。その他、図示の例におけるアーム開閉式ハンガー１０は、プラスチック成形部品の組み合わせに通常用いられる、相互に嵌合が可能な凸部と凹部を要所に配置することによって、各部の位置決めが施されている。本体１１を構成する前後２部材１２、１３など、プラスチック部品の結合組み立てに用いられている上記の係合手段や嵌合手段は、いわゆる嵌め殺し式の構造で良い。
【００１７】
上記左右のアーム１５、１６の内方の端部には、アーム開閉時に互いに噛み合う歯車部分２１、２２が設けられている。図示の歯車部分２１、２２は、歯車の一部のイチョウの葉型に形成した部分歯車で、その円周部分にそれぞれ歯を形成したものである。これらの歯車部分２１、２２は相互に噛み合う状態を保ってアームが開きかつ閉じるので、開いた状態で噛み合う歯と閉じた状態で噛み合う歯との間の角度は、左右のアーム１５、１６の開閉角度と同じである。
【００１８】
本発明では、左右のアーム１５、１６が開いた状態を一定に保ち、かつ、閉じるのを防止するために操作レバー２３を本体１１に取り付け、上記操作レバー２３に係合部２４を設け、係合部２４と係合可能な係合相手部２５を歯車部分に設けている。係合相手部２５は左右のアーム１５、１６が開いたときに左右の枢軸１７、１８を結ぶ直線よりもやや上に位置するように、一方（図では右側）の歯車部分に設けており、係合部２４の角と係合するほぼかぎ型に形成されている。図示の操作レバー２３は、本体側の支軸２６に軸支部２７にて回転可能に取り付けられており、かつ、操作部２３ａを左右のアーム１５、１６よりも上位、かつ、本体外部に配置して構成されている。
【００１９】
操作レバー２３は、本体側の支軸２６に軸支部２７にて回転可能に取り付けられた状態で係合部２４と係合相手部２５の係合が可能な定位置を占めており、かつ、定位置を中心として左方又は右方へ一定の範囲でのみ回転を許容するために、軸支部２７よりも左方に設けた左弾性片２９と軸支部２７よりも右方に設けた右弾性片３３とを有し、本体１１には左弾性片２９を受け支えて弾圧状態にする左受支部２８と、右弾性片３３を受け支えて弾圧状態にする右受支部３０をそれぞれ設けている。
【００２０】
左受支部２８と左弾性片２９とは第１の弾性機構３１を構成し、右受支部３０と右弾性片３３とは第２の弾性機構３２を構成する。上記左弾性片２９は操作レバー２３の軸支部近くから左受支部２８に向かって湾曲し、かつ左弾性片２９の中途に設けた調整部３４にて変形容易性を調整している。なお、図示の例において、左受支部２８は本体後部材１３の内部上位に形成されている枠部の下面（その凸状の部分）を用いており、右受支部３０には本体後部材１３の内部上位に形成した軸を用いている。
【００２１】
各図において、符号３５、３６は襟受け部であり、左右のアーム１５、１６の内方寄りの上部にテーパー状に設けられ、衣類Ｗの襟が支えられるように設けている。左右のアーム１５、１６を閉じるとこの襟受け部３５、３６で幅が最大となる。本発明の場合の一例では襟受け部３５、３６の幅は約１０センチであり、成人用の衣類であれば閉じている衣類Ｗの襟を拡げずに扱える大きさである。また、３７、３８は整形先端部であり、左右のアーム１５、１６の外方の端部に円形に形成され、例えば、Ｔシャツなどのように、閉じた襟の衣類Ｗを掛けるときの便宜上、先端が引っ掛からないようにアーム幅よりも大径に形成されている。
【００２２】
このように構成されている本発明のアーム開閉式ハンガー１０を用いて、例えば、洗濯したＴシャツ（衣類Ｗ）を掛けるときには、まず、衣類Ｗの襟を引っ張らない程度に適度に開いておき、図５に示すようにアーム開閉式ハンガー１０の左右のアーム１５、１６を閉じ、整形先端部３７、３８を揃えた状態として上記の襟から内部に挿入する。前記のように左右のアーム１５、１６を閉じた状態において、襟受け部３５、３６の間の最大幅は１０センチ程度であるから、閉じているアーム１５、１６の整形先端部３７、３８をＴシャツの襟から内部に挿入することは全く抵抗なく、襟を拡げる必要もなく行うことができる。
【００２３】
このようにして、左右のアーム１５、１６を襟からＴシャツ（衣類Ｗ）の中に挿入したなら、次に衣類の内部にて左右のアーム１５、１６を開くことを行う。そのためには、例えば、Ｔシャツ（衣類Ｗ）の外から、既に挿入されているアーム１５、１６の内の１本のアーム１６をＴシャツごと手でつかみ（図６）、他のアーム１５は下に向けて、そのアーム１５が自重で垂れる状態にあるものを開き気味とし、さらに、左右両方のアーム１５、１６を手で最大に開く。そのとき、係合相手部２５の端部が係合部２４を右上方から下方へ乗り越えるように移動し、クリック音を伴って係合部２４と係合相手部２５が係合し、図６等に示すようにアーム１５、１６が開いた状態に固定される。
【００２４】
左右のアーム１５、１６が開くと、整形先端部３７、３８が袖に入り込める状態になるので、Ｔシャツ（衣類Ｗ）は十分に拡げられる。この状態でフック１４を上向きの状態になっていれば、Ｔシャツを本発明のアーム開閉式ハンガー１０に掛けて吊り下げた状態となる。Ｔシャツ（衣類Ｗ）が乾燥して、本発明のアーム開閉式ハンガー１０から外すときには、本発明では左右のアーム１５、１６を閉じて、引き抜けば良い。その際、操作レバー２３を本体方向へ引き上げるように寄せると、左弾性片２９が弾性変形し、係合部２４と係合相手部２５との係合が外れ、それとともに衣類Ｗの荷重で左右のアーム１５、１６が閉じるので、Ｔシャツ（衣類Ｗ）を非常に容易に、しかも襟を拡げることなく外すことができる。
【００２５】
上記の記載は、飽くまでも使用法に関する一例であり、この記載の通りに操作しなければならないというものではない。このように、本発明に係るアーム開閉式ハンガー１０は左右のアーム１５、１６に掛けた衣類を、操作レバー２３のワンタッチ操作によって取り外すことができ、丸首の襟を伸ばしてしまうことがなく、収納時には閉じて小さくなるという使い易いものである。
【図面の簡単な説明】
【００２６】
【図１】本発明に係るアーム開閉式ハンガーの一例を示す正面説明図である。
【図２】同上の要部においてアームを開いた状態を示す拡大説明図である。
【図３】同じくアームを閉じた状態を示す拡大説明図である。
【図４】同じくハンガーを示すもので、図１を基準としてＡは右側面図、Ｂは背面図である。
【図５】本発明に係るアーム開閉式ハンガーを閉じた使用状態を示す説明図である。
【図６】同じくアーム開閉式ハンガーを開いた使用状態を示す説明図である。
【符号の説明】
【００２７】
１０  アーム開閉式ハンガー
１１  本体
１２  前部材
１３  後部材
１４  フック
１５  左のアーム
１６  右のアーム
１７、１８  枢軸
１９、２０  アーム回転部開口
２１、２２  歯車部分
２３  操作レバー
２４  係合部
２５  係合相手部
２６  支軸
２７  軸支部
２８  左受支部
２９  左弾性片
３０  右受支部
３１  第１の弾性機構
３２  第２の弾性機構
３３  右弾性片
３４  調整部
３５、３６  襟受け部
３７、３８  整形先端部
【図１】
0005530796.tif 000002
【図２】
0005530796.tif 000003
【図３】
0005530796.tif 000004
【図４】
0005530796.tif 000005
【図５】
0005530796.tif 000006
【図６】
0005530796.tif 000007